【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
二輪車のタイヤおよびリムを有する車輪の前記タイヤ表面の一部に設けられた被検知体と、
前記車輪の回転にしたがう前記被検知体の回転を検出する探触子を有し、検出信号を出力する検出ユニットとを備え、
前記検出ユニットは、折れ曲げ調整および伸縮調整の少なくともいずれかの調整が可能な本体部と、前記二輪車の所定部位に固定される固定部とを有している、車速検出装置。
【請求項２】
前記被検知体は、シート形状である、請求項１に記載の車速検出装置。
【請求項３】
前記検出ユニットは、高周波発信型センサ、磁気型センサ、または静電容量型センサである、請求項１または２に記載の車速検出装置。
【手続補正２】
【補正対象書類名】明細書
【補正対象項目名】発明の名称
【補正方法】変更
【補正の内容】
【発明の名称】車速検出装置
【手続補正３】
【補正対象書類名】明細書
【補正対象項目名】０００１
【補正方法】変更
【補正の内容】
【０００１】
本発明は、二輪車の車速を検出するための車速検出装置に関する。
【手続補正４】
【補正対象書類名】明細書
【補正対象項目名】００１４
【補正方法】変更
【補正の内容】
【００１４】
本発明は、上記従来の車速検出装置の課題を考慮して、車速を検出するために車輪に取り付ける被検知体を容易に装着可能な車速検出装置を提供することを目的とする。
【手続補正５】
【補正対象書類名】明細書
【補正対象項目名】００１５
【補正方法】削除
【補正の内容】
【手続補正６】
【補正対象書類名】明細書
【補正対象項目名】００１７
【補正方法】変更
【補正の内容】
【００１７】
また、第２の本発明は、
前記被検知体は、シート形状である、第１の本発明の車速検出装置である。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
また、第３の本発明は、
前記検出ユニットは、高周波発信型センサ、磁気型センサ、または静電容量型センサである、第１または第２の本発明の車速検出装置である。
また、本発明に関連する第１の発明は、
弾力性を有するＣ型形状の器具であって、器具本体部が車輪のホイールの孔部に貫通され、前記Ｃ型形状の両端がリムまたはタイヤを両側から締め付けるＣ型形状器具と、
前記Ｃ型形状器具の前記Ｃ型形状の端部に取り付けられ、前記タイヤ表面に配置される被検知体と、
前記車輪の回転にしたがう前記被検知体の回転を検出する探触子を有し、前記二輪車の所定部位に固定され、検出信号を出力する検出ユニットとを備えた車速検出装置である。
また、本発明に関連する第２の発明は、
前記被検知体は、前記リムの近傍から前記タイヤのトレッドパターン部の近傍に亘って設けられている、第１または第２の本発明、もしくは本発明に関連する第１の発明の車速検出装置である。
また、本発明に関連する第３の発明は、
前記二輪車の所定部位は、振動吸収機構による前記車輪の移動の影響を受けない部位である、第１または第２の本発明、もしくは本発明に関連する第１または第２の発明の車速検出装置である。
また、本発明に関連する第４の発明は、
前記二輪車の所定部位は、フォーク、フェンダー、またはギヤボックスである、第１または第２の本発明、もしくは本発明に関連する第１〜第３のいずれかの発明の車速検出装置である。
【手続補正１２】
【補正対象書類名】明細書
【補正対象項目名】００２３
【補正方法】変更
【補正の内容】
【００２３】
また、本発明に関連する第５の発明は、
前記検出ユニットは、磁気型センサであり、
前記被検知体は、前記タイヤ表面に貼り付けられる磁化されたシートであり、その一端が前記リム側に配置する方の一端であるか前記タイヤの接地側に配置する方の一端であるかを示すための、文字若しくはマークが付され、または色分けされている、本発明に関連する第４の発明の車速検出装置である。
【手続補正１３】
【補正対象書類名】明細書
【補正対象項目名】００２４
【補正方法】変更
【補正の内容】
【００２４】
また、本発明に関連する第６の発明は、
前記被検知体は、前記タイヤ表面の複数箇所に設けられており、
前記検出ユニットは、前記被検知体が設けられた箇所毎に前記検出信号を出力し、
前記検出信号に基づいて前記各被検知体の状態が正常であるか異常であるかを判別する被検知体状態判別部と、
前記検出信号および前記被検知体状態判別部の判別結果に基づいて速度を算出する速度演算部とを備えた、第１〜第３のいずれかの本発明、または本発明に関連する第１〜第５のいずれかの発明の車速検出装置である。
【手続補正１４】
【補正対象書類名】明細書
【補正対象項目名】００２５
【補正方法】変更
【補正の内容】
【００２５】
また、本発明に関連する第７の発明は、
前記被検知体状態判別部は、前記被検知体が設けられた箇所毎に出力される前記検出信号の各時間間隔の比に基づいて判断する、本発明に関連する第６の発明の車速検出装置である。
【手続補正１５】
【補正対象書類名】明細書
【補正対象項目名】００２６
【補正方法】変更
【補正の内容】
【００２６】
また、本発明に関連する第８の発明は、
前記被検知体状態判別部は、前記被検知体が設けられた箇所毎に出力される前記検出信号の各時間間隔の絶対時間に基づいて判断する、本発明に関連する第７の発明の車速検出装置である。
【手続補正１６】
【補正対象書類名】明細書
【補正対象項目名】００２７
【補正方法】変更
【補正の内容】
【００２７】
また、本発明に関連する第９の発明は、
前記被検知体は、前記車輪の回転軸を介して互いに対向しない２箇所に設けられている、本発明に関連する第６〜第８のいずれかの発明の車速検出装置である。
【手続補正１７】
【補正対象書類名】明細書
【補正対象項目名】００２８
【補正方法】変更
【補正の内容】
【００２８】
また、本発明に関連する第１０の発明は、
前記被検知体状態判別部が前記被検知体の状態が異常であると判断した場合に、警告信号を出力する被検知体異常通知部を備えた、本発明に関連する第６〜第９のいずれかの発明の車速検出装置である。
【手続補正１８】
【補正対象書類名】明細書
【補正対象項目名】００２９
【補正方法】変更
【補正の内容】
【００２９】
また、本発明に関連する第１１の発明は、
第１〜第３のいずれかの本発明、または本発明に関連する第１〜第５のいずれかの発明の車速検出装置から前記探触子の検出に基づいて出力される前記検出信号を受信する検出信号受信部と、
受信した前記検出信号に基づいて速度を算出する車速演算部とを備えたドライブレコーダである。
【手続補正１９】
【補正対象書類名】明細書
【補正対象項目名】００３０
【補正方法】変更
【補正の内容】
【００３０】
また、本発明に関連する第１２の発明は、
本発明に関連する第６〜第１０のいずれかの発明の車速検出装置から前記探触子の検出に基づいて出力される前記検出信号を受信する検出信号受信部と、
受信した前記検出信号に基づいて速度を算出する車速演算部とを備え、
前記車速演算部が、前記被検知体状態判別部および前記速度演算部の機能を兼ね備えているドライブレコーダである。
【手続補正２０】
【補正対象書類名】明細書
【補正対象項目名】００３１
【補正方法】変更
【補正の内容】
【００３１】
また、本発明に関連する第１３の発明は、
第１〜第３のいずれかの本発明、または本発明に関連する第１〜第１０のいずれかの発明の車速検出装置と、
本発明に関連する第１１または第１２の発明のドライブレコーダとを備えた二輪車である。
【手続補正２１】
【補正対象書類名】明細書
【補正対象項目名】００３２
【補正方法】変更
【補正の内容】
【００３２】
本発明により、車速を検出するために車輪に取り付ける被検知体を容易に装着可能な車速検出装置を提供できる。
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】変更
【補正の内容】
【００３４】
【図１】本発明の実施の形態１の車速検出装置を備えたドライブレコーダをバイクに搭載した構成図
【図２】本発明の実施の形態１のドライブレコーダの構成を示すブロック図
【図３】（ａ）本発明の実施の形態１の検知シールの貼り付け位置を示す図、（ｂ）本発明の実施の形態１の検知シールの表面の記載例を示す図、（ｃ）本発明の実施の形態１の検知シールの表面の記載例を示す図
【図４】（ａ）、（ｂ）本発明の実施の形態１の車速検出センサユニットの構造の一例を示す構成図
【図５（ａ）】本発明の実施の形態１の車速検出センサユニットの二輪車への取り付け方法の一例を示す図
【図５（ｂ）】本発明の実施の形態１の車速検出センサユニットの二輪車への取り付け方法の一例を示す図
【図５（ｃ）】本発明の実施の形態１の車速検出センサユニットの二輪車への取り付け方法の一例を示す図
【図６（ａ）】本発明に関連する発明の実施の形態２の被検知体の取り付け構造を示したスクータの車輪の断面図
【図６（ｂ）】本発明に関連する発明の実施の形態２の被検知体を取り付けたスクータの車輪の正面図
【図７】本発明の実施の形態３のドライブレコーダの構成を示すブロック図
【図８】本発明の実施の形態３の検知シールのタイヤへの貼り付け位置を示す図
【図９（ａ）】本発明の実施の形態３の、３箇所の検知シールを検出できる場合の磁界およびシール検出信号の波形を示す図
【図９（ｂ）】本発明の実施の形態３の、１箇所の検知シールを検出できなくなった場合の磁界およびシール検出信号の波形を示す図
【図９（ｃ）】本発明の実施の形態３の、２箇所の検知シールを検出できなくなった場合の磁界およびシール検出信号の波形を示す図
【図１０】本発明の実施の形態３の車速演算部における、車速データを算出する際の処理フローを示す図
【図１１】本発明の実施の形態４のドライブレコーダのブロック構成図
【図１２】本発明の実施の形態４の検知シールのタイヤへの貼り付け位置を示す図
【図１３】（ａ）本発明の実施の形態４の、２箇所の検知シールを検出できる場合の磁界、シール検出信号および有効検出信号の波形を示す図、（ｂ）本発明の実施の形態４の、１箇所の検知シールを検出できなくなった場合の磁界、シール検出信号および有効検出信号の波形を示す図
【図１４】（ａ）従来の、サイクルコンピュータを搭載した自転車の構成図、（ｂ）従来のサイクルコンピュータを搭載した自転車の、マグネットの取り付け部分の拡大図
【手続補正２４】
【補正対象書類名】明細書
【補正対象項目名】００３５
【補正方法】変更
【補正の内容】
【００３５】
以下に、本発明および本発明に関連する発明の実施の形態について、図面を参照しながら説明する。
【手続補正２５】
【補正対象書類名】明細書
【補正対象項目名】００８２
【補正方法】変更
【補正の内容】
【００８２】
（実施の形態２）
本発明に関連する発明の実施の形態２の車速検出装置は、車速検出ユニットの構成は実施の形態１と同じであるが、被検知体の取り付け方法が実施の形態１と異なる。
【手続補正２６】
【補正対象書類名】明細書
【補正対象項目名】００８４
【補正方法】変更
【補正の内容】
【００８４】
本実施の形態２の被検知体としての検知部材２８は、断面がＣ型形状を有する検知部材押圧金具２９の、Ｃ型形状の一端に取り付けられている。なお、検知部材押圧金具２９が、本発明に関連する発明のＣ型形状器具の一例にあたる。
【手続補正２７】
【補正対象書類名】明細書
【補正対象項目名】００９６
【補正方法】変更
【補正の内容】
【００９６】
なお、検知シール状態判別部５２が、本発明に関連する発明の被検知体状態判別部の一例にあたり、警報出力部５４が、本発明に関連する発明の被検知体異常通知部の一例にあたる。
【手続補正２８】
【補正対象書類名】明細書
【補正対象項目名】０１４８
【補正方法】変更
【補正の内容】
【０１４８】
本発明に係る車速検出装置は、車速を検出するために車輪に取り付ける被検知体を容易に装着できる効果を有し、二輪車の車速を検出する車速検出装置、ドライブレコーダおよび二輪車等として有用である。
【手続補正２９】
【補正対象書類名】明細書
【補正対象項目名】０１４９
【補正方法】削除
【補正の内容】